(57)【特許請求の範囲】
【請求項１】
カメラヘッドの撮影可能な範囲内での人体位置を特定するステップと、
前記人体位置にある画像が前記カメラヘッドによって撮影されたビデオ画面の中心に存在するように、前記カメラヘッドの撮影角度を調整するステップと、
前記カメラヘッドによって撮影されたビデオ画面における人間顔位置を特定するステップと、
前記人間顔位置にある画像が前記カメラヘッドによって撮影されたビデオ画面の中心に存在するように、前記人間顔位置に応じて前記カメラヘッドの撮影角度を微調整するステップと、
前記人間顔位置に応じて前記カメラヘッドの撮影角度を微調整した後、前記人間顔位置に対応する人間顔画像の中心が前記カメラヘッドによって撮影されたビデオ画面の中心からずれた距離をモニタリングするステップと、
前記人間顔画像の中心が、前記ビデオ画面の中心を円心として所定の距離を半径とする円の外部に存在する時間が所定の時間を超えたと検出されると、前記人間顔画像の中心が前記カメラヘッドによって撮影されたビデオ画面の中心に存在するように、改めて前記人間顔画像の位置に応じて前記カメラヘッドの撮影角度を微調整するステップと、
を含むことを特徴とするカメラヘッド撮影角度調整方法。
【請求項２】
前記カメラヘッドの撮影可能な範囲内での人体位置を特定するステップは、
前記カメラヘッドの撮影可能な範囲内での音源から発された音信号を採集するステップと、
前記音信号の周波数バンドが所定の周波数バンド範囲内に存在するか否かを検出するステップと、
前記音信号の周波数バンドが前記所定の周波数バンド範囲内に存在する旨の検出結果が出た場合、前記音源が所在する位置を前記人体位置として特定するステップと、を含むことを特徴とする請求項１に記載のカメラヘッド撮影角度調整方法。
【請求項３】
前記カメラヘッドの撮影可能な範囲内での人体位置を特定するステップは、
前記カメラヘッドの撮影可能な範囲内での赤外線信号源から発された赤外線信号を採集するステップと、
前記赤外線信号のスペクトル特徴が所定のスペクトルにマッチするか否かを検出するステップと、
前記赤外線信号のスペクトル特徴が前記所定のスペクトルにマッチする旨の検出結果が出た場合、前記赤外線信号源が所在する位置を前記人体位置として特定するステップと、を含むことを特徴とする請求項１に記載のカメラヘッド撮影角度調整方法。
【請求項４】
前記カメラヘッドによって撮影されたビデオ画面における人間顔位置を特定するステップは、
前記カメラヘッドによって撮影されたビデオ画面における少なくとも１つの人間顔に対して表情認識を行うステップと、
認識された表情が所定の表情である人間顔の前記ビデオ画面での位置を、前記人間顔位置として特定するステップと、を含むことを特徴とする請求項１に記載のカメラヘッド撮影角度調整方法。
【請求項５】
前記カメラヘッドによって撮影されたビデオ画面における人間顔位置を特定するステップは、
前記ビデオ画面を前記カメラヘッドに接続されたユーザ端末へプッシュするステップと、
前記ユーザ端末から返信された、前記ビデオ画面に含まれる人間顔を示すための選択指示情報を受信するステップと、
前記選択指示情報によって示された人間顔の前記ビデオ画面での位置を、前記人間顔位置として特定するステップと、を含むことを特徴とする請求項１に記載のカメラヘッド撮影角度調整方法。
【請求項６】
カメラヘッドの撮影可能な範囲内での人体位置を特定するように構成される第１位置特定モジュールと、
前記第１位置特定モジュールによって特定された前記人体位置にある画像が前記カメラヘッドによって撮影されたビデオ画面の中心に存在するように、前記カメラヘッドの撮影角度を調整するように構成される第１調整モジュールと、
前記カメラヘッドによって撮影されたビデオ画面における人間顔位置を特定するように構成される第２位置特定モジュールと、
前記人間顔位置にある画像が前記カメラヘッドによって撮影されたビデオ画面の中心に存在するように、前記第２位置特定モジュールによって特定された前記人間顔位置に応じて前記カメラヘッドの撮影角度を微調整するように構成される第２調整モジュールと、
前記人間顔位置に応じて前記カメラヘッドの撮影角度を微調整した後、前記人間顔位置に対応する人間顔画像の中心が前記カメラヘッドによって撮影されたビデオ画面の中心からずれた距離をモニタリングするように構成される距離モニタリングモジュールと
を備え、
前記第２調整モジュールは、さらに、前記人間顔画像の中心が、前記ビデオ画面の中心を円心として所定の距離を半径とする円の外部に存在する時間が所定の時間を超えたと前記距離モニタリングモジュールによって検出されると、前記人間顔画像の中心が前記カメラヘッドによって撮影されたビデオ画面の中心に存在するように、改めて前記人間顔画像の位置に応じて前記カメラヘッドの撮影角度を微調整するように構成される
ことを特徴とするカメラヘッド撮影角度調整装置。
【請求項７】
前記第１位置特定モジュールは、
前記カメラヘッドの撮影可能な範囲内での音源から発された音信号を採集するように構成される音採集サブモジュールと、
前記音採集サブモジュールによって採集された前記音信号の周波数バンドが所定の周波数バンド範囲内に存在するか否かを検出するように構成される周波数バンド検出サブモジュールと、を備え、
前記音採集サブモジュールによって採集された前記音信号の周波数バンドが前記所定の周波数バンド範囲内に存在する旨の検出結果が出た場合、前記音源が所在する位置を前記人体位置として特定することを特徴とする請求項６に記載のカメラヘッド撮影角度調整装置。
【請求項８】
前記第１位置特定モジュールは、
前記カメラヘッドの撮影可能な範囲内での赤外線信号源から発された赤外線信号を採集するように構成される赤外採集サブモジュールと、
前記赤外採集サブモジュールによって採集された前記赤外線信号のスペクトル特徴が所定のスペクトルにマッチするか否かを検出するように構成されるスペクトルモニタリングサブモジュールと、をさらに備え、
前記赤外採集サブモジュールによって採集された前記赤外線信号のスペクトル特徴が前記所定のスペクトルにマッチする旨の検出結果が出た場合、前記赤外線信号源が所在する位置を前記人体位置として特定することを特徴とする請求項６に記載のカメラヘッド撮影角度調整装置。
【請求項９】
前記第２位置特定モジュールは、
前記カメラヘッドによって撮影されたビデオ画面における少なくとも１つの人間顔に対して表情認識を行うように構成される表情認識サブモジュールと、
前記表情認識サブモジュールによって認識された表情が所定の表情である人間顔の前記ビデオ画面での位置を、前記人間顔位置として特定するように構成される第１位置特定サブモジュールと、を備えることを特徴とする請求項６に記載のカメラヘッド撮影角度調整装置。
【請求項１０】
前記第２位置特定モジュールは、
前記ビデオ画面を前記カメラヘッドに接続されたユーザ端末へプッシュするように構成される画面プッシュサブモジュールと、
前記ユーザ端末から返信された、前記ビデオ画面に含まれる人間顔を示すための選択指示情報を受信するように構成される情報受信サブモジュールと、
前記情報受信サブモジュールによって受信された前記選択指示情報が示す人間顔の前記ビデオ画面での位置を、前記人間顔位置として特定するように構成される第２位置特定サブモジュールと、をさらに備えることを特徴とする請求項６に記載のカメラヘッド撮影角度調整装置。
【請求項１１】
プロセッサと、
前記プロセッサの実行可能な指令を記憶するためのメモリとを備え、
前記プロセッサは、
カメラヘッドの撮影可能な範囲内での人体位置を特定し、
前記人体位置にある画像が前記カメラヘッドによって撮影されたビデオ画面の中心に存在するように、前記カメラヘッドの撮影角度を調整し、
前記カメラヘッドによって撮影されたビデオ画面における人間顔位置を特定し、
前記人間顔位置にある画像が前記カメラヘッドによって撮影されたビデオ画面の中心に存在するように、前記人間顔位置に応じて前記カメラヘッドの撮影角度を微調整し、
前記人間顔位置に応じて前記カメラヘッドの撮影角度を微調整した後、前記人間顔位置に対応する人間顔画像の中心が前記カメラヘッドによって撮影されたビデオ画面の中心からずれた距離をモニタリングし、
前記人間顔画像の中心が、前記ビデオ画面の中心を円心として所定の距離を半径とする円の外部に存在する時間が所定の時間を超えたと検出されると、前記人間顔画像の中心が前記カメラヘッドによって撮影されたビデオ画面の中心に存在するように、改めて前記人間顔画像の位置に応じて前記カメラヘッドの撮影角度を微調整するように構成されることを特徴とするカメラヘッド撮影角度調整装置。
【発明の詳細な説明】
【技術分野】
【０００１】
本発明は、スマートホーム分野に関し、特にカメラヘッド撮影角度調整方法および装置に関する。
【背景技術】
【０００２】
スマート機器の普及およびネットワーク技術の飛躍的な発展に伴い、スマートカメラヘッドも、人々の日常生活においてますます普及しており、セキュリティ、自動制御および遠隔ビデオインタラクション等のシーンに広く応用されている。
【０００３】
関連技術では、スマートカメラヘッドは、使用中において、その撮影角度が一定である。ユーザは、スマートカメラヘッドの撮影角度を調整しようとする際に、スマートカメラヘッドの制御機器を介してその撮影角度を手動で調整してもよい。
【発明の概要】
【発明が解決しようとする課題】
【０００４】
本発明は、カメラヘッド撮影角度調整方法および装置を提供する。前記技術案は、下記の通りである。
【課題を解決するための手段】
【０００５】
本発明の第１態様によれば、カメラヘッド撮影角度調整方法を提供する。前記方法は、
カメラヘッドの撮影可能な範囲内での人体位置を特定するステップと、
前記人体位置にある画像が前記カメラヘッドによって撮影されたビデオ画面の中心に存在するように、前記カメラヘッドの撮影角度を調整するステップと、
前記カメラヘッドによって撮影されたビデオ画面における人間顔位置を特定するステップと、
前記人間顔位置にある画像が前記カメラヘッドによって撮影されたビデオ画面の中心に存在するように、前記人間顔位置に応じて前記カメラヘッドの撮影角度を微調整するステップとを含む。
【０００６】
好ましくは、前記カメラヘッドの撮影可能な範囲内での人体位置を特定するステップは、
前記カメラヘッドの撮影可能な範囲内での音源から発された音信号を採集するステップと、
前記音信号の周波数バンドが所定の周波数バンド範囲内に存在するか否かを検出するステップと、
前記音信号の周波数バンドが前記所定の周波数バンド範囲内に存在する旨の検出結果が出た場合、前記音源が所在する位置を前記人体位置として特定するステップとを含む。
【０００７】
好ましくは、前記カメラヘッドの撮影可能な範囲内での人体位置を特定するステップは、
前記カメラヘッドの撮影可能な範囲内での赤外線信号源から発された赤外線信号を採集するステップと、
前記赤外線信号のスペクトル特徴が所定のスペクトルにマッチするか否かを検出するステップと、
前記赤外線信号のスペクトル特徴が前記所定のスペクトルにマッチする旨の検出結果が出た場合、前記赤外線信号源が所在する位置を前記人体位置として特定するステップとを含む。
【０００８】
好ましくは、前記カメラヘッドによって撮影されたビデオ画面における人間顔位置を特定するステップは、
前記カメラヘッドによって撮影されたビデオ画面における少なくとも１つの人間顔に対して表情認識を行うステップと、
認識された表情が所定の表情である人間顔の前記ビデオ画面での位置を、前記人間顔位置として特定するステップとを含む。
【０００９】
好ましくは、前記カメラヘッドによって撮影されたビデオ画面における人間顔位置を特定するステップは、
前記ビデオ画面を前記カメラヘッドに接続されたユーザ端末へプッシュするステップと、
前記ユーザ端末から返信された、前記ビデオ画面に含まれる人間顔を示すための選択指示情報を受信するステップと、
前記選択指示情報によって示された人間顔の前記ビデオ画面での位置を、前記人間顔位置として特定するステップとを含む。
【００１０】
好ましくは、前記方法は、さらに、
前記人間顔位置に応じて前記カメラヘッドの撮影角度を微調整した後、前記人間顔位置に対応する人間顔画像が前記カメラヘッドによって撮影されたビデオ画面の中心からずれた距離をモニタリングするステップと、
前記人間顔画像の前記ビデオ画面の中心からずれた距離が所定の距離より大きいと検出されると、前記人間顔画像が前記カメラヘッドによって撮影されたビデオ画面の中心に存在するように、改めて前記人間顔画像の位置に応じて前記カメラヘッドの撮影角度を微調整するステップとを含む。
【００１１】
本発明の第２態様によれば、カメラヘッド撮影角度調整装置を提供する。前記装置は、
カメラヘッドの撮影可能な範囲内での人体位置を特定するように構成される第１位置特定モジュールと、
前記第１位置特定モジュールによって特定された前記人体位置にある画像が前記カメラヘッドによって撮影されたビデオ画面の中心に存在するように、前記カメラヘッドの撮影角度を調整するように構成される第１調整モジュールと、
前記カメラヘッドによって撮影されたビデオ画面における人間顔位置を特定するように構成される第２位置特定モジュールと、
前記人間顔位置にある画像が前記カメラヘッドによって撮影されたビデオ画面の中心に存在するように、前記第２位置特定モジュールによって特定された前記人間顔位置に応じて前記カメラヘッドの撮影角度を微調整するように構成される第２調整モジュールと、を備える。
【００１２】
好ましくは、前記第１位置特定モジュールは、
前記カメラヘッドの撮影可能な範囲内での音源から発された音信号を採集するように構成される音採集サブモジュールと、
前記音採集サブモジュールによって採集された前記音信号の周波数バンドが所定の周波数バンド範囲内に存在するか否かを検出するように構成される周波数バンド検出サブモジュールとを備え、
前記音採集サブモジュールによって採集された前記音信号の周波数バンドが前記所定の周波数バンド範囲内に存在する旨の検出結果が出た場合、前記音源が所在する位置を前記人体位置として特定する。
【００１３】
好ましくは、前記第１位置特定モジュールは、さらに、
前記カメラヘッドの撮影可能な範囲内での赤外線信号源から発された赤外線信号を採集するように構成される赤外採集サブモジュールと、
前記赤外線採集サブモジュールによって採集された前記赤外線信号のスペクトル特徴が所定のスペクトルにマッチするか否かを検出するように構成されるスペクトルモニタリングサブモジュールとを備え、
前記赤外採集サブモジュールによって採集された前記赤外線信号のスペクトル特徴が前記所定のスペクトルにマッチする旨の検出結果が出た場合、前記赤外線信号源が所在する位置を前記人体位置として特定する。
【００１４】
好ましくは、前記第２位置特定モジュールは、
前記カメラヘッドによって撮影されたビデオ画面における少なくとも１つの人間顔に対して表情認識を行うように構成される表情認識サブモジュールと、
前記表情認識サブモジュールによって認識された表情が所定の表情である人間顔の前記ビデオ画面での位置を、前記人間顔位置として特定するように構成される第１位置特定サブモジュールとを備える。
【００１５】
好ましくは、前記第２位置特定モジュールは、さらに、
前記ビデオ画面を前記カメラヘッドに接続されたユーザ端末へプッシュするように構成される画面プッシュサブモジュールと、
前記ユーザ端末から返信された、前記ビデオ画面に含まれる人間顔を示すための選択指示情報を受信するように構成される情報受信サブモジュールと、
前記情報受信サブモジュールによって受信された前記選択指示情報が示す人間顔の前記ビデオ画面での位置を、前記人間顔位置として特定するように構成される第２位置特定サブモジュールとを備える。
【００１６】
好ましくは、前記装置は、さらに、
前記人間顔位置に応じて前記カメラヘッドの撮影角度を微調整した後、前記人間顔位置に対応する人間顔画像が前記カメラヘッドによって撮影されたビデオ画面の中心からずれた距離をモニタリングするように構成される距離モニタリングモジュールを備え、
前記第２調整モジュールは、前記人間顔画像の前記ビデオ画面の中心からずれた距離が所定の距離より大きいと前記距離モニタリングモジュールによって検出されると、前記人間顔画像が前記カメラヘッドによって撮影されたビデオ画面の中心に存在するように、改めて前記人間顔画像の位置に応じて前記カメラヘッドの撮影角度を微調整するように構成される。
【００１７】
本発明の実施例の第３態様によれば、カメラヘッド撮影角度調整装置を提供する。前記装置は、
プロセッサと、
前記プロセッサの実行可能な指令を記憶するためのメモリとを備え、
前記プロセッサは、
カメラヘッドの撮影可能な範囲内での人体位置を特定し、
前記人体位置にある画像が前記カメラヘッドによって撮影されたビデオ画面の中心に存在するように、前記カメラヘッドの撮影角度を調整し、
前記カメラヘッドによって撮影されたビデオ画面における人間顔位置を特定し、
前記人間顔位置にある画像が前記カメラヘッドによって撮影されたビデオ画面の中心に存在するように、前記人間顔位置に応じて前記カメラヘッドの撮影角度を微調整するように構成される。
【発明の効果】
【００１８】
本発明の実施例に供される技術案は、以下の格別な作用効果を奏することができる。
【００１９】
撮影可能な範囲内での人体の位置を特定し、カメラヘッド撮影角度を人体位置まで調整した後、人間顔の位置に応じてカメラヘッドを微調整することで、人間顔位置に応じてカメラヘッド撮影角度の微調整を自動的に行うため、ユーザの手動調節を必要とせず、ユーザ操作の難易度が軽減されるとともに撮影角度調節の正確性も向上する効果を奏する。
【００２０】
以上の一般的な記述および後述する詳細な説明は、単に例示的なものであり、本発明を制限するためのものでないことは、理解されるべきである。
【図面の簡単な説明】
【００２１】
ここでの図面は、明細書を構成する一部として見なされ、本発明に適した実施例を示し、かつ、明細書の文字記載とともに本発明の仕組みを解釈するために用いられる。
【図１】ある実施例によるカメラヘッド撮影角度調整方法を示すフローチャートである。
【図２Ａ】別の実施例によるカメラヘッド撮影角度調整方法を示すフローチャートである。
【図２Ｂ】別の実施例によるカメラヘッドの撮影可能な範囲内での人体位置を特定するフローチャートである。
【図２Ｃ】別の実施例によるカメラヘッドの撮影可能な範囲内での人体位置を特定する別のフローチャートである。
【図２Ｄ】ある実施例による人間顔位置を特定するフローチャートである。
【図２Ｅ】別の実施例によるカメラヘッド撮影角度調整を示す模式図である。
【図２Ｆ】別の実施例による人間顔位置を特定する別のフローチャートである。
【図２Ｇ】別の実施例によるカメラヘッド撮影角度調整を示す別の模式図である。
【図３Ａ】別の実施例によるカメラヘッド撮影角度調整方法を示すフローチャートである。
【図３Ｂ】別の実施例による人間顔オフセット距離を検出する模式図である。
【図３Ｃ】別の実施例による人間顔位置調整を示す模式図である。
【図４】ある実施例によるカメラヘッド撮影角度調整装置を示すブロック図である。
【図５】別の実施例によるカメラヘッド撮影角度調整装置を示すブロック図である。
【図６】ある実施例による装置を示すブロック図である。
【発明を実施するための形態】
【００２２】
次に、実施例を詳細に説明し、例示が図に示されている。以下の記述が図に係る場合、別途にて示さない限り、異なる図面における同じ符号は、同じまたは類似する要素を示す。以下の実施例に記述される実施形態は、本発明と一致する全ての実施形態を代表するとは限らない。逆に、それらは、添付の特許請求の範囲に記載されているように、本発明の一部の態様と一致する装置および方法の例に過ぎない。
【００２３】
図１は、ある実施例によるカメラヘッド撮影角度調整方法を示すフローチャートである。当該カメラヘッド撮影角度調整方法は、スマートカメラヘッドに用いられる。図１に示すように、当該カメラヘッド撮影角度調整方法は、以下のステップを含んでもよい。
【００２４】
ステップ１０１では、カメラヘッドの撮影可能な範囲内での人体位置を特定する。
【００２５】
ステップ１０２では、当該人体位置にある画像が当該カメラヘッドによって撮影されたビデオ画面の中心に存在するように、当該カメラヘッドの撮影角度を調整する。
【００２６】
ステップ１０３では、当該カメラヘッドによって撮影されたビデオ画面における人間顔位置を特定する。
【００２７】
ステップ１０４では、当該人間顔位置にある画像が当該カメラヘッドによって撮影されたビデオ画面の中心に存在するように、当該人間顔位置に応じて当該カメラヘッドの撮影角度を微調整する。
【００２８】
好ましくは、当該カメラヘッドの撮影可能な範囲内での人体位置を特定するステップは、
当該カメラヘッドの撮影可能な範囲内での音源から発された音信号を採集し、
当該音信号の周波数バンドが所定の周波数バンド範囲内に存在するか否かを検出し、
当該音信号の周波数バンドが当該所定の周波数バンド範囲内に存在する旨の検出結果が出た場合、当該音源が所在する位置を当該人体位置として特定する。
【００２９】
好ましくは、当該カメラヘッドの撮影可能な範囲内での人体位置を特定するステップは、
当該カメラヘッドの撮影可能な範囲内での赤外線信号源から発された赤外線信号を採集し、
当該赤外線信号のスペクトル特徴が所定のスペクトルにマッチするか否かを検出し、
当該赤外線信号のスペクトル特徴が当該所定のスペクトルにマッチする旨の検出結果が出た場合、当該赤外線信号源が所在する位置を当該人体位置として特定する。
【００３０】
好ましくは、当該カメラヘッドによって撮影されたビデオ画面における人間顔位置を特定するステップは、
当該カメラヘッドによって撮影されたビデオ画面における少なくとも１つの人間顔に対して表情認識を行うステップと、
認識された表情が所定の表情である人間顔の当該ビデオ画面での位置を当該人間顔位置として特定するステップとを含む。
【００３１】
好ましくは、当該カメラヘッドによって撮影されたビデオ画面における人間顔位置を特定するステップは、
当該ビデオ画面を当該カメラヘッドに接続されたユーザ端末へプッシュするステップと、
当該ユーザ端末から返信された、当該ビデオ画面に含まれる人間顔を示す選択指示情報を受信するステップと、
当該選択指示情報によって指示された人間顔の当該ビデオ画面での位置を、当該人間顔位置として特定するステップとを含む。
【００３２】
好ましくは、当該方法は、さらに、
当該人間顔位置に応じて当該カメラヘッドの撮影角度を微調整した後、当該人間顔位置に対応する人間顔画像が当該カメラヘッドによって撮影されたビデオ画面の中心からずれた距離をモニタリングするステップと、
当該人間顔画像が当該ビデオ画面の中心からずれた距離が所定の距離より大きいと検出されると、当該人間顔画像が当該カメラヘッドによって撮影されたビデオ画面の中心に存在するように、改めて当該人間顔画像の位置に応じて当該カメラヘッドの撮影角度を微調整するステップとを含む。
【００３３】
以上のように、本発明の実施例に示すカメラヘッド撮影角度調整方法では、撮影可能な範囲内での人体の位置を特定し、カメラヘッド撮影角度を人体位置まで調整した後、人間顔の位置に応じてカメラヘッドを微調整することで、人間顔位置に応じてカメラヘッド撮影角度の微調整を自動的に行うため、ユーザの手動調節を必要とせず、ユーザ操作の難易度が軽減されるとともに撮影角度調節の正確性も向上する効果を奏する。
【００３４】
図２Ａは、別の実施例によるカメラヘッド撮影角度調整方法を示すフローチャートである。当該カメラヘッド撮影角度調整方法は、スマートカメラヘッドに用いられる。図２Ａに示すように、当該カメラヘッド撮影角度調整方法は、以下のステップを含んでもよい。
【００３５】
ステップ２０１では、カメラヘッドの撮影可能な範囲内での人体位置を特定する。
【００３６】
ある可能な実現形態において、図２Ｂは、本発明の実施例に供されるカメラヘッドの撮影可能な範囲内での人体位置を特定するフローチャートを示す。当該方法は、下記のステップを含んでもよい。
【００３７】
ステップ２０１ａでは、カメラヘッドの撮影可能な範囲内での音源から発された音信号を採集する。
【００３８】
ステップ２０１ｂでは、音信号の周波数バンドが所定の周波数バンド範囲内に存在するか否かを検出する。
【００３９】
ステップ２０１ｃでは、音信号の周波数バンドが所定の周波数バンド範囲内に存在する旨の検出結果が出た場合、音源が所在する位置を人体位置として特定する。
【００４０】
ただし、スマートカメラヘッドは、撮影可能な範囲内での音源から発された音信号に基づいて人体の位置を特定してもよい。スマートカメラヘッドの内部には、音信号採集装置が設けられている。ある所定の時間内で、スマートカメラヘッド内における音信号採集装置は、音源から発された音信号を採集し、当該所定の時間内で採集された音信号の平均値を取る。当該所定の時間の詳細について制限しない。３０ｓ、または、１ｍｉｎに設定されてもよい。当該平均値が所定の周波数バンド範囲内に存在すれば、当該音源が所在する位置を人体位置として特定する。具体的に、特定されたものが人体の位置である場合、当該所定の周波数バンド範囲は、正常な人が交わす周波数バンド範囲である。例えば、正常な人が声で会話する周波数バンド範囲は、１３０-３５０Ｈｚである。
【００４１】
別の可能な実現形態において、図２Ｃは、本発明の実施例に供されるカメラヘッドの撮影可能な範囲内での人体位置を特定する別のフローチャートを示す。当該方法は、以下のステップを含んでもよい。
【００４２】
ステップ２０１ｄでは、カメラヘッドの撮影可能な範囲内での赤外線信号源から発された赤外線信号を採集する。
【００４３】
ステップ２０１ｅでは、赤外線信号のスペクトル特徴が所定のスペクトルにマッチするか否かを検出する。
【００４４】
ステップ２０１ｆでは、赤外線信号のスペクトル特徴が所定のスペクトルにマッチする旨の検出結果が出た場合、赤外線信号源が所在する位置を人体位置として特定する。
【００４５】
スマートカメラヘッドは、撮影可能な範囲内での音源から発された音信号に基づいて人体位置を特定するほかに、赤外線信号のスペクトル特徴に基づいて人体の位置を特定してもよい。ただし、赤外線信号のスペクトル特徴は、赤外線信号の周波数および赤外線信号の波長等を含んでもよい。異なるタイプの物体が発する赤外線信号のスペクトル特徴も異なる。本実施例のある可能な実施方式において、人体のスペクトル特徴を所定のスペクトル特徴に設定してもよい。当該所定のスペクトル特徴にマッチする物体が後で検出されると、当該物体を人体として特定してもよい。
【００４６】
ステップ２０２では、当該カメラヘッドの撮影角度を調整する。
【００４７】
カメラヘッドの撮影角度を調整する際に、当該人体位置にある画像が当該カメラヘッドによって撮影されたビデオ画面の中心に存在するようにしてもよい。
【００４８】
具体的に、スマートカメラヘッドの内部にマイクロモータが設けられている。カメラヘッドが人体位置を特定した後、カメラヘッド内におけるマイクロモータは、稼動し始め、当該人体位置が置かれる画像が撮影されたビデオ画面の中心に存在するように、カメラヘッドの撮影角度を調整する。
【００４９】
ステップ２０３では、人間顔認識により、当該カメラヘッドによって撮影されたビデオ画面における人間顔位置を特定する。
【００５０】
人体位置を特定した後、より良好な撮影効果を得るために、カメラヘッドは、人間顔認識により、ビデオ画面での人間顔の位置を特定する。具体的に、スマートカメラヘッドは、ビデオ画面における人体顔面特徴、例えば、耳、目、口および鼻等に基づいて、それらの顔面特徴の形状およびそれらの間の幾何関係により、人間顔の位置を特定する。
【００５１】
ステップ２０４では、当該人間顔位置に基づいて当該カメラヘッドの撮影角度を微調整する。
【００５２】
ただし、カメラヘッドによって撮影されたビデオ画面に１つの人間顔のみ存在する場合、撮影角度を微調整する際、カメラヘッドは、直接人間顔位置にある画像をカメラヘッドによって撮影されたビデオ画面の中心に存在させればよい。
【００５３】
好ましくは、当該カメラヘッドによって撮影されたビデオ画面に複数の人間顔が存在する場合、その中の１つの人間顔位置を特定し、特定した人間顔位置に基づいて後続の微調整を行ってもよい。ただし、ビデオ画面に複数の人間顔が存在する場合、１つの人間顔位置を特定する方法は、下記のようになってもよい。
【００５４】
ある可能な実現形態において、図２Ｄは、本発明の実施例に供される人間顔位置を特定するフローチャートを示す。当該方法は、下記のステップを含んでもよい。
【００５５】
ステップ２０３ａでは、カメラヘッドによって撮影されたビデオ画面における少なくとも１つの人間顔に対して表情認識を行う。
【００５６】
ステップ２０３ｂでは、認識された表情が所定の表情である人間顔のビデオ画面での位置を人間顔位置として特定する。
【００５７】
ビデオ画面に複数の人間顔が出現する場合、表情認識の方法によりカメラヘッドの撮影する人間顔を特定してもよい。例えば、予め設定された微笑み表情が所定の表情である。カメラヘッドによって撮影されたビデオ画面における複数の人間顔のうち、１つの人間顔が微笑み表情である場合、カメラヘッドは、当該微笑み表情を持っている人間顔がビデオ画面の中心に存在するように、撮影角度を微調整する。図２Ｅに示す第１種のカメラヘッド撮影角度調整の模式図を参照すると、図２Ｅに示す撮影画面２０に、それぞれ人間顔２０ａ、２０ｂおよび２０ｃとの３つの人間顔が存在する。カメラヘッドは、その中の１つの人間顔２０ｃが微笑み表情であると検出すると、当該微笑み表情を持っている人間顔２０ｃがビデオ画面の中心に存在するように、撮影角度を微調整する。
【００５８】
ある可能な実現形態において、図２Ｆは、本発明の実施例に供される別の人間顔位置を特定するフローチャートを示す。当該方法は、下記のステップを含んでもよい。
【００５９】
ステップ２０３ｃでは、ビデオ画面をカメラヘッドに接続されたユーザ端末へプッシュする。
【００６０】
ステップ２０３ｄでは、ユーザ端末から返信された、ビデオ画面に含まれる人間顔を示すための選択指示情報を受信する。
【００６１】
ステップ２０３ｅでは、選択指示情報によって示された人間顔のビデオ画面での位置を人間顔位置として特定する。
【００６２】
好ましくは、ビデオ画面に複数の人間顔が出現する場合、カメラヘッドは、さらに、撮影されたビデオ画面を当該カメラヘッドに接続されたユーザ端末へプッシュしてもよい。ユーザは、撮影すべき人間顔を選択してもよい。カメラヘッドは、ユーザ端末から返信された選択指示メッセージを受信すると、当該選択指示メッセージによって選択された人間顔のビデオ画面での位置を人間顔位置として特定する。図２Ｇは、カメラヘッド撮影角度調整を示す別の模式図である。図２Ｇに示す撮影画面は、カメラヘッドからユーザ端末へ伝送して、ユーザ端末に表示されたものである。当該撮影画面には、Ａ、ＢおよびＣの３つの人間顔が存在する。その中の１つの人間顔Ｃが所在する領域がユーザによってクリックされた後、ユーザ端末は、カメラヘッドへユーザによってクリックされた座標情報を送信する。カメラヘッドは、当該座標情報を受信した後、当該座標情報に基づいて、ユーザが人間顔Ｃを選択したことを特定する。その後、カメラヘッドは、人間顔Ｃの人間顔画像が撮影されたビデオ画面の中心に存在するように、撮影角度を調整する。
【００６３】
以上のように、本発明の実施例に示すカメラヘッド撮影角度調整方法では、撮影可能な範囲内での人体の位置を特定し、カメラヘッド撮影角度を人体位置まで調整した後、人間顔の位置に応じてカメラヘッドを微調整することで、人間顔位置に応じてカメラヘッド撮影角度の微調整を自動的に行うため、ユーザの手動調節を必要とせず、ユーザ操作の難易度が軽減されるとともに撮影角度調節の正確性も向上する効果を奏する。
【００６４】
また、音源または赤外線を利用して検出する方法では、撮影可能な範囲内での物体から発された音信号または赤外線信号を採集し、所定の周波数バンドまたは時間周波数スペクトルに基づいて撮影可能な範囲内での人体の位置を特定することで、撮影可能な範囲内での人体を正確で有効に追跡できるため、カメラヘッドの撮影角度を人体が所在する位置まで調整可能であり、他の動物または物体を人体位置として特定することが回避される。
【００６５】
また、撮影可能な範囲内での人間顔の表情を認識することで、カメラヘッドの撮影すべき人間顔を特定し、あるいは、カメラヘッドが撮影したビデオ画面をカメラヘッドに接続されたユーザ端末へプッシュし、ユーザ端末の表示指示メッセージを受信することで、ユーザが撮影すべき人間顔を特定して、撮影角度を微調整するため、撮影可能な範囲内に複数の人間顔がある場合、ユーザの需要に応じて撮影角度を調整し、ユーザが撮影する必要がある人間顔をビデオ画面の中心に表示する。
【００６６】
図３Ａは、さらに別の実施例によるカメラヘッド撮影角度調整方法を示すフローチャートである。当該カメラヘッド撮影角度調整方法は、スマートカメラヘッドに用いられる。図３Ａに示すように、当該カメラヘッド撮影角度調整方法は、以下のステップを含んでもよい。
【００６７】
ステップ３０１では、カメラヘッドの撮影可能な範囲内での人体位置を特定する。
【００６８】
ステップ３０２では、当該カメラヘッドの撮影角度を調整する。
【００６９】
ステップ３０３では、人間顔認識により、当該カメラヘッドによって撮影されたビデオ画面における人間顔位置を特定する。
【００７０】
ステップ３０４では、当該人間顔位置に応じて当該カメラヘッドの撮影角度を微調整する。
【００７１】
ただし、上記ステップ３０１からステップ３０４の実現手順は上記図２に示す実施例を参照すればよい。ステップ２０１からステップ２０４の記述は、ここで繰り返し説明しない。
【００７２】
ステップ３０５では、当該人間顔位置に応じて当該カメラヘッドの撮影角度を微調整した後、当該人間顔位置に対応する人間顔画像が当該カメラヘッドによって撮影されたビデオ画面の中心からずれた距離をモニタリングする。
【００７３】
ビデオ撮影過程において、人間顔位置がずっと変化している。人間顔位置がカメラヘッドの撮影可能な範囲からはみ出すことを防止し、カメラヘッド撮影のビデオ効果を一層保証するために、カメラヘッドは、人間顔位置に対応する人間顔画像がビデオ画面の中心からずれた距離を検出する。詳細は、図３Ｂに示す人間顔オフセット距離を検出する模式図を参照されたい。図３Ｂにおいて、カメラヘッドによって撮影されたビデオ画面３０の中心点を始点として、当該ビデオ画面３０の中心点から人間顔画像３１中心までの距離を算出し、ビデオ画面３０の中心から人間顔画像３１の中心までの距離を、人間顔位置に対応する人間顔画像が当該カメラヘッドによって撮影されたビデオ画面の中心からずれた距離とする。
【００７４】
ステップ３０６では、当該人間顔画像の当該ビデオ画面の中心からずれた距離が所定の距離より大きいと検出されると、当該人間顔画像が当該カメラヘッドによって撮影されたビデオ画面の中心に存在するように、改めて当該人間顔画像の位置に応じて当該カメラヘッドの撮影角度を微調整する。
【００７５】
カメラヘッドは、カメラヘッドによって撮影されたビデオ画面の中心を円心とし、所定の距離を半径とし、ビデオの中心から人間顔画像の中心までの距離が所定の距離より大きいと検出するとき、すなわち、人間顔画像の中心がビデオ画面の中心を円心として所定の距離を半径とする円の外部に存在するとき、改めて人間顔画像の位置に応じてカメラヘッドの撮影角度を微調整する。
【００７６】
詳細は、図３Ｃに示す人間顔位置調整の模式図を参照されたい。図３Ｃにおいて、人間顔画像３３の中心からビデオ画面３２の中心までの距離が所定の距離より大きい、即ち、人間顔画像３３の中心がビデオ画面３２の中心を円心として所定の距離を半径とする円３４の外部に存在すると検出されたとき、カメラヘッドの撮影角度を微調整し、人間顔画像３３をビデオ画面３２の中心位置まで再度調整する。
【００７７】
好ましくは、カメラヘッドは、人間顔画像の中心からビデオ画面の中心までの距離が所定の距離より大きいと検出すると、撮影角度を直ちに調整することなく、所定の時間（例えば、当該所定の時間が５秒あるいは１０秒であってもよい）を設定し、人間顔画像の中心からビデオ画面の中心までの距離が所定の距離より大きい時間が所定の時間を超えた場合には、改めて人間顔画像の位置に応じて撮影角度を微調整する。
【００７８】
注意すべきことは、本実施例において、人間顔画像がビデオ画面の中心からずれた距離および所定の距離の検出について限定しない。開発者あるいはユーザは、実際の使用状況に応じて自己設定してもよい。
【００７９】
以上のように、本発明の実施例に示すカメラヘッド撮影角度調整方法では、撮影可能な範囲内での人体の位置を特定し、カメラヘッド撮影角度を人体位置まで調整した後、人間顔の位置に応じてカメラヘッドを微調整することで、人間顔位置に応じてカメラヘッド撮影角度の微調整を自動的に行うため、ユーザの手動調節を必要とせず、ユーザ操作の難易度が軽減されるとともに撮影角度調節の正確性も向上する効果を奏する。
【００８０】
また、音源または赤外線を利用して検出する方法では、撮影可能な範囲内での物体から発された音信号または赤外線信号を採集し、所定の周波数バンドまたは時間周波数スペクトルに基づいて撮影可能な範囲内での人体の位置を特定することで、撮影可能な範囲内での人体を正確で有効に追跡できるため、カメラヘッドの撮影角度を人体が所在する位置まで調整可能であり、他の動物または物体を人体位置として特定することが回避される。
【００８１】
また、撮影可能な範囲内での人間顔の表情を認識することで、カメラヘッドの撮影すべき人間顔を特定し、あるいは、カメラヘッドが撮影したビデオ画面をカメラヘッドに接続されたユーザ端末へプッシュし、ユーザ端末の表示指示メッセージを受信することで、ユーザが撮影すべき人間顔を特定して、撮影角度を微調整するため、撮影可能な範囲内に複数の人間顔がある場合、ユーザの需要に応じて撮影角度を調整し、ユーザが撮影する必要がある人間顔をビデオ画面の中心に表示する。
【００８２】
なお、ビデオ画面の中心と人間顔画像との間の距離を特定し、ビデオ画面の中心と人間顔画像との間の距離が所定の距離より大きい場合、人間顔位置がビデオ画面の中心に存在するように撮影角度を再度調整することで、最適な撮影効果を達成する。
【００８３】
本発明の方法実施例を実行可能な本発明の装置実施例を以下に示す。本発明の装置実施例における開示されていない詳細については、本発明の方法実施例を参照されたい。
【００８４】
図４は、ある実施例によるカメラヘッド撮影角度調整装置を示すブロック図である。当該カメラヘッド撮影角度調整装置は、スマートカメラヘッドに適用可能である。図４に示すように、当該カメラヘッド撮影角度調整装置は、第１位置特定モジュール４０１、第１調整モジュール４０２、第２位置特定モジュール４０３および第２調整モジュール４０４を備えるが、それらに限定されない。
【００８５】
当該第１位置特定モジュール４０１は、カメラヘッドの撮影可能な範囲内での人体位置を特定するように構成される。
【００８６】
当該第１調整モジュール４０２は、当該第１位置特定モジュール４０１によって特定された人体位置にある画像がカメラヘッドによって撮影されたビデオ画面の中心に存在するように、当該カメラヘッドの撮影角度を調整するように構成される。
【００８７】
当該第２位置特定モジュール４０３は、カメラヘッドによって撮影されたビデオ画面における人間顔位置を特定するように構成される。
【００８８】
当該第２調整モジュール４０４は、人間顔位置にある画像がカメラヘッドによって撮影されたビデオ画面の中心に存在するように、当該第２位置特定モジュール４０３によって特定された人間顔位置に応じてカメラヘッドの撮影角度を微調整するように構成される。
【００８９】
以上のように、本発明の実施例に示すカメラヘッド撮影角度調整装置では、撮影可能な範囲内での人体の位置を特定し、カメラヘッド撮影角度を人体位置まで調整した後、人間顔の位置に応じてカメラヘッドを微調整することで、人間顔位置に応じてカメラヘッド撮影角度の微調整を自動的に行うため、ユーザの手動調節を必要とせず、ユーザ操作の難易度が軽減されるとともに撮影角度調節の正確性も向上する効果を奏する。
【００９０】
図５は、別の実施例によるカメラヘッド撮影角度調整装置を示すブロック図である。当該カメラヘッド撮影角度調整装置は、スマートカメラヘッドに適用可能である。図５に示すように、当該カメラヘッド撮影角度調整装置は、第１位置特定モジュール５０１、第１調整モジュール５０２、第２位置特定モジュール５０３および第２調整モジュール５０４を備えるが、それらに限定されない。
【００９１】
当該第１位置特定モジュール５０１は、カメラヘッドの撮影可能な範囲内での人体位置を特定するように構成される。
【００９２】
当該第１調整モジュール５０２は、当該第１位置特定モジュール５０１によって特定された人体位置にある画像がカメラヘッドによって撮影されたビデオ画面の中心に存在するように、当該カメラヘッドの撮影角度を調整するように構成される。
【００９３】
当該第２位置特定モジュール５０３は、カメラヘッドによって撮影されたビデオ画面における人間顔位置を特定するように構成される。
【００９４】
当該第２調整モジュール５０４は、人間顔位置にある画像がカメラヘッドによって撮影されたビデオ画面の中心に存在するように、当該第２位置特定モジュール５０３によって特定された人間顔位置に応じてカメラヘッドの撮影角度を微調整するように構成される。
【００９５】
好ましくは、第１位置特定モジュール５０１は、音採集サブモジュール５０１ａおよび周波数バンド検出サブモジュール５０１ｂを備える。
【００９６】
当該音採集サブモジュール５０１ａは、カメラヘッドの撮影可能な範囲内での音源から発された音信号を採集するように構成される。
【００９７】
当該周波数バンド検出サブモジュール５０１ｂは、音採集サブモジュール５０１ａによって採集された音信号の周波数バンドが所定の周波数バンド範囲内に存在するか否かを検出するように構成される。
【００９８】
音採集サブモジュール５０１ａによって採集された音信号の周波数バンドが所定の周波数バンド範囲内に存在する旨の検出結果が出た場合、音源が所在する位置を人体位置として特定する。
【００９９】
好ましくは、第１位置特定モジュール５０１は、赤外採集サブモジュール５０１ｃおよびスペクトルモニタリングサブモジュール５０１ｄをさらに備える。
【０１００】
当該赤外採集サブモジュール５０１ｃは、カメラヘッドの撮影可能な範囲内での赤外線信号源から発された赤外線信号を採集するように構成される。
【０１０１】
当該スペクトルモニタリングサブモジュール５０１ｄは、赤外線採集サブモジュール５０１ｃによって採集された赤外線信号のスペクトル特徴が所定のスペクトルにマッチするか否かを検出するように構成される。
【０１０２】
赤外採集サブモジュール５０１ｃによって採集された赤外線信号のスペクトル特徴が所定のスペクトルにマッチする旨の検出結果が出た場合、赤外線信号源が所在する位置を人体位置として特定する。
【０１０３】
好ましくは、第２位置特定モジュール５０３は、表情認識サブモジュール５０３ａおよび第１位置特定サブモジュール５０３ｂを備える。
【０１０４】
当該表情認識サブモジュール５０３ａは、カメラヘッドによって撮影されたビデオ画面における少なくとも１つの人間顔に対して表情認識を行うように構成される。
【０１０５】
当該第１位置特定サブモジュール５０３ｂは、表情認識サブモジュール５０３ａによって認識された表情が所定の表情である人間顔のビデオ画面での位置を、人間顔位置として特定するように構成される。
【０１０６】
好ましくは、第２位置特定モジュール５０３は、画面プッシュサブモジュール５０３ｃ、情報受信サブモジュール５０３ｄおよび第２位置特定サブモジュール５０３ｅをさらに備える。
【０１０７】
当該画面プッシュサブモジュール５０３ｃは、ビデオ画面をカメラヘッドに接続されたユーザ端末へプッシュするように構成される。
【０１０８】
当該情報受信サブモジュール５０３ｄは、ユーザ端末から返信された、ビデオ画面に含まれる人間顔を示す選択指示情報を受信するように構成される。
【０１０９】
当該第２位置特定サブモジュール５０３ｅは、情報受信サブモジュール５０３ｄによって受信された選択指示情報が示す人間顔のビデオ画面での位置を、人間顔位置として特定するように構成される。
【０１１０】
好ましくは、当該装置は、距離モニタリングモジュール５０５をさらに備える。
【０１１１】
当該距離モニタリングモジュール５０５は、人間顔位置に応じてカメラヘッドの撮影角度を微調整した後、人間顔位置に対応する人間顔画像がカメラヘッドによって撮影されたビデオ画面の中心からずれた距離をモニタリングように構成される。
【０１１２】
当該第２調整モジュール５０４は、さらに、モニタリングモジュール５０５によって検出された人間顔画像がビデオ画面の中心からずれた距離が所定の距離より大きいと検出されると、人間顔画像がカメラヘッドによって撮影されたビデオ画面の中心に存在するように、改めて人間顔画像の位置に応じてカメラヘッドの撮影角度を微調整するように構成される。
【０１１３】
以上のように、本発明の実施例に示すカメラヘッド撮影角度調整装置では、撮影可能な範囲内での人体の位置を特定し、カメラヘッド撮影角度を人体位置まで調整した後、人間顔の位置に応じてカメラヘッドを微調整することで、人間顔位置に応じてカメラヘッド撮影角度の微調整を自動的に行うため、ユーザの手動調節を必要とせず、ユーザ操作の難易度が軽減されるとともに撮影角度調節の正確性も向上する効果を奏する。
【０１１４】
また、音源または赤外線を利用して検出する方法では、撮影可能な範囲内での物体から発された音信号または赤外線信号を採集し、所定の周波数バンドまたは時間周波数スペクトルに基づいて撮影可能な範囲内での人体の位置を特定することで、撮影可能な範囲内での人体を正確で有効に追跡できるため、カメラヘッドの撮影角度を人体が所在する位置まで調整可能であり、他の動物または物体を人体位置として特定することが回避される。
【０１１５】
また、撮影可能な範囲内での人間顔の表情を認識することで、カメラヘッドの撮影すべき人間顔を特定し、あるいは、カメラヘッドが撮影したビデオ画面をカメラヘッドに接続されたユーザ端末へプッシュし、ユーザ端末の表示指示メッセージを受信することで、ユーザが撮影すべき人間顔を特定して、撮影角度を微調整するため、撮影可能な範囲内に複数の人間顔がある場合、ユーザの需要に応じて撮影角度を調整し、ユーザが撮影する必要がある人間顔をビデオ画面のセンターに表示する。
【０１１６】
なお、ビデオ画面の中心と人間顔画像との間の距離を特定し、ビデオ画面の中心と人間顔画像との間の距離が所定の距離より大きい場合、人間顔位置がビデオ画面の中心に存在するように撮影角度を再度調整することで、最適な撮影効果を達成する。
【０１１７】
本発明のある実施例は、本発明に供されるカメラヘッド撮影角度調整方法を実施可能なカメラヘッド撮影角度調整装置をさらに提供する。当該装置は、プロセッサと、プロセッサの実行可能な指令を記憶するためのメモリとを備える。
【０１１８】
プロセッサは、
カメラヘッドの撮影可能な範囲内での人体位置を特定し、
前記人体位置にある画像が前記カメラヘッドによって撮影されたビデオ画面の中心に存在するように、前記カメラヘッドの撮影角度を調整し、
前記カメラヘッドによって撮影されたビデオ画面における人間顔位置を特定し、
前記人間顔位置にある画像が前記カメラヘッドによって撮影されたビデオ画面の中心に存在するように、前記人間顔位置に応じて前記カメラヘッドの撮影角度を微調整するように構成される。
【０１１９】
好ましくは、前記カメラヘッドの撮影可能な範囲内での人体位置を特定する際に、
前記カメラヘッドの撮影可能な範囲内での音源から発された音信号を採集し、
前記音信号の周波数バンドが所定の周波数バンド範囲内に存在するか否かを検出し、
前記音信号の周波数バンドが前記所定の周波数バンド範囲内に存在する旨の検出結果が出た場合、前記音源が所在する位置を前記人体位置として特定する。
【０１２０】
好ましくは、前記カメラヘッドの撮影可能な範囲内での人体位置を特定する際に、
前記カメラヘッドの撮影可能な範囲内での赤外線信号源から発された赤外線信号を採集し、
前記赤外線信号のスペクトル特徴が所定のスペクトルにマッチするか否かを検出し、
前記赤外線信号のスペクトル特徴が前記所定のスペクトルにマッチする旨の検出結果が出た場合、前記赤外線信号源が所在する位置を前記人体位置として特定する。
【０１２１】
好ましくは、前記カメラヘッドによって撮影されたビデオ画面における人間顔位置を特定する際に、
前記カメラヘッドによって撮影されたビデオ画面における少なくとも１つの人間顔に対して表情認識を行い、
認識された表情が所定の表情である人間顔の前記ビデオ画面での位置を、前記人間顔位置として特定する。
【０１２２】
好ましくは、前記カメラヘッドによって撮影されたビデオ画面における人間顔位置を特定する際に、
前記ビデオ画面を前記カメラヘッドに接続されたユーザ端末へプッシュし、
前記ユーザ端末から返信された、前記ビデオ画面に含まれる人間顔を示すための選択指示情報を受信し、
前記選択指示情報によって示された人間顔の前記ビデオ画面での位置を、前記人間顔位置として特定する。
【０１２３】
好ましくは、プロセッサは、さらに、
前記人間顔位置に応じて前記カメラヘッドの撮影角度を微調整した後、前記人間顔位置に対応する人間顔画像が前記カメラヘッドによって撮影されたビデオ画面の中心からずれた距離をモニタリングし、
前記人間顔画像が前記ビデオ画面の中心からずれた距離が所定の距離より大きいと検出されると、前記人間顔画像が前記カメラヘッドによって撮影されたビデオ画面の中心に存在するように、改めて前記人間顔画像の位置に応じて前記カメラヘッドの撮影角度を微調整するように構成される。
【０１２４】
図６は、ある実施例による装置６００を示すブロック図である。例えば、装置６００は、スマートビデオカメラであってもよい。
【０１２５】
図６を参照すると、装置６００は、処理ユニット６０２、メモリ６０４、電源ユニット６０６、マルチメディアユニット６０８、オーディオユニット６１０、センサユニット６１４、および、通信ユニット６１６のうちの１つまたは複数を含んでもよい。
処理ユニット６０２は、通常は、表示、電話発呼、データ通信、カメラ操作および記録操作に関連する操作のような、装置６００の全般操作を制御する。処理ユニット６０２は、上記方法の全部または一部のステップを実施させるように、指令を実行するための１つまたは複数のプロセッサ６１８を含んでもよい。また、処理ユニット６０２は、処理ユニット６０２と他のユニットとの間の相互作用を容易にするように、１つ又は複数のモジュールを含んでもよい。例えば、処理ユニット６０２は、マルチメディアユニット６０８と処理ユニット６０２との間の相互作用を容易にするように、マルチメディアモジュールを含んでもよい。
【０１２６】
メモリ６０４は、各タイプのデータを記憶して装置６００での操作をサポートするように構成される。これらのデータの例示は、装置６００で操作するための任意のアプリケーションもしくは方法の指令を含む。メモリ６０４は、如何なる種別の揮発性もしくは不揮発性記憶装置またはそれらの組合せで実現されてもよい。例えば、スタティックランダムアクセスメモリ（ＳＲＡＭ）、電気的に消去可能なプログラマブル読み出し専用メモリ（ＥＥＰＲＯＭ）、消去可能なプログラマブル読み出し専用メモリ（ＥＰＲＯＭ）、プログラマブル読み出し専用メモリ（ＰＲＯＭ）、読み出し専用メモリ（ＲＯＭ）、磁気メモリ、フラッシュメモリ、磁気ディスクまたは光ディスクであってもよい。メモリ６０４には、１つまたは複数のモジュールがさらに記憶されている。当該１つまたは複数のモジュールは、当該１つまたは複数のプロセッサ６１８によって実行されることで、上記図１、図２Ａあるいは図３Ａの何れかに示す方法における全部または一部のステップを実施させるようにする。
【０１２７】
電源ユニット６０６は、装置６００のユニットのそれぞれに電力を供給する。電源ユニット６０６は、電源管理システム、１つまたは複数の電源、並びに、他の装置６００用の電力を生成、管理および配分するに関する他のユニットを含んでもよい。
マルチメディアユニット６０８は、当該装置６００とユーザとの間に１つの出力インターフェースを供給するスクリーンを含む。一部の実施例では、スクリーンは、液晶ディスプレイ（ＬＣＤ）およびタッチパネル（ＴＰ）を含んでもよい。スクリーンは、タッチパネルを含む場合、ユーザからの入力信号を受信するように、タッチクリーンとして実現されてもよい。タッチパネルは、タッチ、スライドおよびタッチパネルでのジェスチャを感知するように、１つまたは複数のタッチセンサを含む。前記タッチセンサは、タッチあるいはスライド動作の境界を感知するだけではなく、当該タッチあるいはスライド操作と関連する継続時間および圧力をさらに検出することができる。
【０１２８】
オーディオユニット６１０は、オーディオ信号を出力および/または入力するように構成される。例えば、オーディオユニット６１０は、マイク（ＭＩＣ）を備え、装置６００が操作モード、例えば、発呼モード、記録モードおよび音声認識モードであるとき、マイクは、外部オーディオ信号を受信するように構成される。受信されたオーディオ信号は、さらに、メモリ６０４に格納される、または、通信ユニット６１６を介して送信されることができる。一部の実施例では、オーディオユニット６１０は、オーディオ信号を出力するためのスピーカをさらに備える。
【０１２９】
センサユニット６１４は、様々な側面での状態推定を装置６００に供給するための１つまたは複数のセンサを含む。例えば、センサユニット６１４は、装置６００のオン/オフ状態、ユニットの相対位置を検出することができる。センサユニット６１４は、さらに、装置６００もしくは装置６００の１つのユニットの位置変更、および装置６００の温度変化をさらに検出することができる。一部の実施例では、当該センサユニット６１４は、さらに、磁気センサ、圧力センサ、または温度センサを含んでもよい。
【０１３０】
通信ユニット６１６は、装置６００と他の機器間の無線または有線方式の通信ができるように構成される。装置６００は、通信規格に基づく無線ネットワーク、例えば、ＷｉＦｉ、２Ｇもしくは３Ｇなどの通信規格、またはそれらの組合せに基づく無線ネットワークにアクセスすることができる。ある実施例では、通信ユニット６１６は、外部ブロードキャスト管理システムからのブロードキャスト信号またはブロードキャスト関連情報をブロードキャストチャネルを介して受信する。ある実施例では、通信ユニット６１６は、さらに、短距離通信を容易にするように、ニアフィールド通信（ＮＦＣ）モジュールを含む。例えば、ＮＦＣモジュールは、無線周波数認識（ＲＦＩＤ）技術、赤外線データ協会（ＩｒＤＡ）技術、超広帯域（ＵＷＢ）技術、ブルートゥース（登録商標）（ＢＴ）技術および他の技術によって実現されてもよい。
【０１３１】
実施例では、装置６００は、上記方法を実行するための１つ又は複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサまたは他の電子部品によって実現されてもよい。
【０１３２】
実施例では、指令を含む非一時的コンピュータ読み取り可能な記憶媒体、例えば、指令を含むメモリ６０４をさらに提供し、上記指令が装置６００のプロセッサ６１８によって実行されることで上記方法を実施させることができる。例えば、当該非一時的コンピュータ読み取り可能な記憶媒体は、ＲＯＭ、ランダムアクセスメモリ（ＲＡＭ）、ＣＤ-ＲＯＭ、磁気テープ、フロッピーディスクおよび光データ記憶機器などであってもよい。
【０１３３】
上記実施例の装置における各モジュールが操作を実行する具体的な方式が当該方法に関する実施例において詳細に記述されたため、ここで詳細に説明しない。
【０１３４】
本発明が以上で記載され、且つ図面に示された正確な構造に限定されるものでなく、その要旨を逸脱しない範囲で様々な補正や変更も可能であることは理解されるべきである。本発明の範囲は、添付する特許請求の範囲のみによって限定される。
【０１３５】
本願は、出願番号が２０１５１０８４９３１０.５であり、出願日が２０１５年１１月２７日である中国特許出願に基づいて優先権を主張する。当該中国特許出願の全ての内容は、ここに参考として引用される。
【図１】
0006441958.tif 000002
【図２Ａ】
0006441958.tif 000003
【図２Ｂ】
0006441958.tif 000004
【図２Ｃ】
0006441958.tif 000005
【図２Ｄ】
0006441958.tif 000006
【図２Ｅ】
0006441958.tif 000007
【図２Ｆ】
0006441958.tif 000008
【図２Ｇ】
0006441958.tif 000009
【図３Ａ】
0006441958.tif 000010
【図３Ｂ】
0006441958.tif 000011
【図３Ｃ】
0006441958.tif 000012
【図４】
0006441958.tif 000013
【図５】
0006441958.tif 000014
【図６】
0006441958.tif 000015